(57)【要約】【課題】意匠の変更に柔軟に対応することができるモジュール及びこのモジュールを用いた電子キーを提供する。【解決手段】モジュール２は、電池７を収容する電池収容部３７を有する筐体３と、操作を受け付ける受付手段が配置されると共に筐体３に取り付けられた基板４０を有するインターフェース部４と、電池収容部３７に電池７と共に収容され、受付手段と電気的に接続される制御回路５１が配置された基板５０と、を備えて概略構成されている。【選択図】図１
2016111387.tif 000002
【特許請求の範囲】
【請求項１】
電池を収容する電池収容部を有する筐体と、
操作を受け付ける受付手段が配置されると共に前記筐体に取り付けられた第１の基板を有する操作受付部と、
前記電池収容部に前記電池と共に収容され、前記受付手段と電気的に接続される制御回路が配置された第２の基板と、
を備えたモジュール。
【請求項２】
前記筐体は、前記電池収容部に開口する第１の開口を有し、
前記第１の開口を介して前記受付手段と前記制御回路とが電気的に接続された、
請求項１に記載のモジュール。
【請求項３】
前記電池及び前記第２の基板と共に前記電池収容部に収容されて前記電池と前記制御回路とに電気的に接続する電池ターミナルを有する、
請求項１又は２に記載のモジュール。
【請求項４】
前記筐体は、前記受付手段と異なる機能を有する拡張機能部を収容する収容部を有し、
前記第１の基板を介して前記拡張機能部と前記制御回路とが電気的に接続された、
請求項１乃至３のいずれか１項に記載のモジュール。
【請求項５】
前記筐体は、前記収容部に開口する第２の開口を有し、
前記第２の開口を介して前記第１の基板と前記拡張機能部が接続された、
請求項４に記載のモジュール。
【請求項６】
請求項１乃至５のいずれか１項に記載のモジュールを用いた電子キー。
【発明の詳細な説明】
【技術分野】
【０００１】
本発明は、モジュール及びこのモジュールを用いた電子キーに関する。
【背景技術】
【０００２】
従来の技術として、携帯機本体の外形を構成するケース内に、外部と無線通信を行うための通信回路が実装された回路基板と、回路基板の一面側に重ね合わされる保護カバーと、回路基板の他面側に重ね合わされ、電池を保持する板状のバッテリホルダとが収容された電子キーシステムの携帯機が知られている（例えば、特許文献１参照。）。
【先行技術文献】
【特許文献】
【０００３】
【特許文献１】特開２００８−１９６１９４号公報
【発明の概要】
【発明が解決しようとする課題】
【０００４】
しかし、従来の携帯機は、携帯機の意匠が変更されるたびに、スイッチの位置や配線等の高周波特性に基づいて基板パターンを設計して評価しなければならず、製造コストが増加する問題がある。
【０００５】
従って、本発明の目的は、意匠の変更に柔軟に対応することができるモジュール及びこのモジュールを用いた電子キーを提供することにある。
【課題を解決するための手段】
【０００６】
本発明の一態様は、電池を収容する電池収容部を有する筐体と、操作を受け付ける受付手段が配置されると共に筐体に取り付けられた第１の基板を有する操作受付部と、電池収容部に電池と共に収容され、受付手段と電気的に接続される制御回路が配置された第２の基板と、を備えたモジュールを提供する。
【発明の効果】
【０００７】
本発明によれば、意匠の変更に柔軟に対応することができる。
【図面の簡単な説明】
【０００８】
【図１】図１は、実施の形態に係るモジュールを用いた電子キーの分解斜視図である。
【図２】図２（ａ）は、実施の形態に係る電子キーの筐体の上面図であり、図２（ｂ）は、図２（ａ）のII（ｂ）-II（ｂ）線で切断した断面を矢印方向から見た断面図であり、図２（ｃ）は、筐体の下面図であり、図２（ｄ）は、電池を挿入する左側面から見た側面図であり、図２（ｅ）は、図２（ｃ）のII（ｅ）-II（ｅ）線で切断した断面を矢印方向から見た断面図である。
【図３】図３（ａ）は、実施の形態に係るモジュールの斜視図であり、図３（ｂ）は、その左側面図であり、図３（ｃ）は、その上面図であり、図３（ｄ）は、その右側面図であり、図３（ｅ）は、その前面図であり、図３（ｆ）は、電池収容部に収容された制御回路部と電池ターミナルを示す斜視図であり、図３（ｇ）は、図３（ｃ）に示すIII（ｇ）-III（ｇ）線で切断した断面を筐体の底面を上にして見た概略図である。
【図４】図４（ａ）は、実施の形態に係るモジュールのインターフェース部の基板の上面図であり、図４（ｂ）は、モジュールのスイッチＳＷ１とスイッチＳＷ２の接続パターンについて説明するための概略図である。
【図５】図５（ａ）〜図５（ｅ）は、変形例としての意匠が異なる電子キーの概略図である。
【発明を実施するための形態】
【０００９】
（実施の形態の要約）
実施の形態に係るモジュールは、電池を収容する電池収容部を有する筐体と、操作を受け付ける受付手段が配置されると共に筐体に取り付けられた第１の基板を有する操作受付部と、電池収容部に電池と共に収容され、受付手段と電気的に接続される制御回路が配置された第２の基板と、を備えて概略構成されている。
【００１０】
[実施の形態]
（電子キー１の全体構成）
図１は、実施の形態に係るモジュールを用いた電子キーの分解斜視図である。なお、以下に記載する実施の形態に係る各図において、図形間の比率は、実際の比率とは異なる場合がある。
【００１１】
この電子キー１は、一例として、車両のドアの施解錠、エンジンの始動等を無線で指示することができる携帯機である。本実施の形態の電子キー１は、車両との双方向通信によりＩＤを認証し、認証が成立した場合に電子キー１を携帯する者が車両のドアの施解錠等を行うことが可能となる。
【００１２】
この電子キー１は、図１に示すように、第１のボタン１０１〜第４のボタン１０４が上ケース１０の上面１００に配置されている。この第１のボタン１０１〜第４のボタンは、例えば、プッシュ操作可能に構成されている。
【００１３】
この上ケース１０は、下ケース１１と一体となるように構成されている。電子キー１は、図１に示すように、上ケース１０及び下ケース１１によりモジュール２を収容するように構成されている。
【００１４】
このモジュール２は、電池７を収容する電池収容部３７を有する筐体３と、操作を受け付ける受付手段が配置されると共に筐体３に取り付けられた第１の基板としての基板４０を有する操作受付部としてのインターフェース部４と、電池収容部３７に電池７と共に収容され、受付手段と電気的に接続される制御回路５１が配置された第２の基板としての基板５０と、を備えて概略構成されている。
【００１５】
またモジュール２は、電池７及び基板５０と共に電池収容部３７に収容されて電池７と制御回路５１とに電気的に接続する電池ターミナル６を有する。
【００１６】
なおモジュール２は、電子キー１に限定されず、家の玄関の施解錠や電子機器を遠隔操作可能な携帯機に用いられても良い。
【００１７】
（上ケース１０及び下ケース１１の構成）
上ケース１０及び下ケース１１は、例えば、ＡＢＳ（acrylonitrile butadiene styrene copolymer）樹脂、ＰＣ（polycarbonate）樹脂等の合成樹脂を用いて形成されている。
【００１８】
上ケース１０には、例えば、第１のボタン１０１〜第４のボタン１０４の他に、作動灯１０５が配置されている。第１のボタン１０１〜第４のボタン１０４は、なされたプッシュ操作により、後述するモジュール２の第１のスイッチ４１〜第４のスイッチ４４をオンさせるように構成されている。また作動灯１０５は、このプッシュ操作の受付により、後述するモジュール２の光源４５からの光を出力する。操作者は、この作動灯１０５から出力する光により操作が受け付けられたことを認識する。
【００１９】
下ケース１１は、図１に示すように、内部側の底面１１０にモジュール２に応じた形状の収容部１１１を有する。この収容部１１１は、モジュール２を収容して上ケース１０と共に保持する。収容部１１１は、モジュール２に組み込まれた電池７の形状に合わせた凹部が形成されている。この電池７は、ボタン型電池であり、円板形状を有している。電池７は、上部が正極７０、正極７０よりも半径の小さい下部が負極７１となっている。
【００２０】
なお変形例として、電池７は、ボタン型電池に限定されず、蓄電池であっても良い。蓄電池の場合、一例として、非接触で蓄電池の充電を可能とする後述する拡張機能部８、又はケーブルを介して蓄電池の充電を可能とする拡張機能部８が、電子キー１に追加される。
【００２１】
なお電子キー１は、モジュール２が車両と通信できなくなった場合に備えて物理キーを内蔵する構成であっても良い。この物理キーは、例えば、収容部１１１と上ケース１０及び下ケース１１の間に配置される。
【００２２】
（モジュール２の全体構成）
モジュール２は、筐体３と、インターフェース部４と、制御回路部５と、電池ターミナル６と、電池７と、拡張機能部８と、を備えている。このインターフェース部４、制御回路部５、電池ターミナル６、電池７及び拡張機能部８は、筐体３に収容されて一体となっている。
【００２３】
なお電子キー１は、一例として、モジュール２に拡張機能部８が組み込まれなかった場合、ボタンを操作することによりドアの施解錠を行うことが可能であり、モジュール２に拡張機能部８が組み込まれた場合、さらに、操作者が車両に近づいたり、ドアに触れたりすることによりドアの施解錠等を行うことが可能となるように機能が拡張される。
【００２４】
（筐体３の構成）
図２（ａ）は、実施の形態に係る電子キーの筐体の上面図であり、図２（ｂ）は、図２（ａ）のII（ｂ）-II（ｂ）線で切断した断面を矢印方向から見た断面図であり、図２（ｃ）は、筐体の下面図であり、図２（ｄ）は、電池を挿入する左側面から見た側面図であり、図２（ｅ）は、図２（ｃ）のII（ｅ）-II（ｅ）線で切断した断面を矢印方向から見た断面図である。
【００２５】
筐体３は、例えば、ＡＢＳ樹脂、ＰＣ樹脂等の合成樹脂を用いて形成されている。この筐体３は、図１及び図２（ａ）に示すように、上面が窪んで矩形状に形成された配置面３０上にインターフェース部４が配置されている。
【００２６】
筐体３は、第１のスイッチ４１〜第４のスイッチ４４と異なる機能を有する拡張機能部８を収容する収容部としての基板収容部３８を有している。
【００２７】
具体的には、筐体３は、図２（ｂ）に示すように、筐体３の壁３５を境に、筐体３の前面３３側に電池収容部３７が設けられ、後面３４側に基板収容部３８が設けられている。
【００２８】
また筐体３は、電池収容部３７に開口する第１の開口としてのコネクタ開口３００と、基板収容部３８に開口する第２の開口としてのコネクタ開口３０１を有している。
【００２９】
このコネクタ開口３００及びコネクタ開口３０１は、矩形状を有して配置面３０に設けられている。このコネクタ開口３００及びコネクタ開口３０１は、例えば、互いの長手方向が９０°の角度を有するように配置されている。
【００３０】
電池収容部３７は、図２（ｃ）及び図２（ｅ）に示すように、左側面３１に開口しており、電池ターミナル６の挿入を案内する第１の案内溝としてのターミナル保持溝３７１と、基板５０の挿入を案内する第２の案内溝としての基板保持溝３７２と、が対向する側面に設けられている。この対向する側面とは、壁３５と前面３３の電池収容部３７側の側面である。
【００３１】
また電池収容部３７は、基板５０に配置されたコネクタ５２等が収容される凹部３０５が配置面３０側に設けられ、電池７の外形に応じた凹部３７５が右側面３２側に設けられている。
【００３２】
電池収容部３７の底面３６には、電池収容部３７に収容された電池７を取り出し易いように、電池７の取出し方向に沿って凹んだ取出凹部３６０が形成されている。この取出凹部３６０を挟んだ両側には、図２（ｃ）に示すように、矩形状の切欠孔３６１及び切欠孔３６２が形成されている。この切欠孔３６１及び切欠孔３６２は、電池７が電池収容部３７に収容された際に、後述する電池ターミナル６の凸部６１０及び凸部６２０が嵌り込むように設けられている。凸部６１０及び凸部６２０が切欠孔３６１及び切欠孔３６２に嵌り込むことが、電池収容部３７からの電池ターミナル６の抜けを防止することとなる。
【００３３】
この電池収容部３７には、上述のコネクタ開口３００が設けられており、後述する制御回路部５の基板５０のコネクタ５２がコネクタ開口３００を介してインターフェース部４のコネクタ４６と接続する。
【００３４】
基板収容部３８は、拡張機能部８の基板８０が収容される。この基板収容部３８は、図２（ａ）の紙面において時計回りに、第１の爪部３８１〜第４の爪部３８４が設けられている。第１の爪部３８１と第２の爪部３８２、及び第３の爪部３８３と第４の爪部３８４は、それぞれ並んで配置され、第１の爪部３８１と第４の爪部３８４、及び第２の爪部３８２と第３の爪部３８３が対向している。基板８０は、その側面部分がこの第１の爪部３８１〜第４の爪部３８４に嵌め込まれることで保持される。
【００３５】
この基板収容部３８には、上述のコネクタ開口３０１が設けられており、基板８０のコネクタ８１がコネクタ開口３０１を介してインターフェース部４のコネクタ４７と接続する。
【００３６】
（インターフェース部４の構成）
図３（ａ）は、実施の形態に係るモジュールの斜視図であり、図３（ｂ）は、その左側面図であり、図３（ｃ）は、その上面図であり、図３（ｄ）は、その右側面図であり、図３（ｅ）は、その前面図であり、図３（ｆ）は、電池収容部に収容された制御回路部と電池ターミナルを示す斜視図であり、図３（ｇ）は、図３（ｃ）に示すIII（ｇ）-III（ｇ）線で切断した断面を筐体の底面を上にして見た概略図である。
【００３７】
インターフェース部４は、例えば、操作者の操作を受け付ける受付手段、操作を受け付けたことを呈示する呈示手段等により構成されている。具体的には、インターフェース部４は、一例として、光源、スイッチ、タッチセンサ、ディスプレイ、マイク、スピーカ、カメラ、太陽電池パネル等を有して構成される。本実施の形態の受付手段は、一例として、第１のスイッチ４１〜第４のスイッチ４４である。
【００３８】
インターフェース部４は、例えば、さらに光源４５を基板４０の表面４００に備えている。またインターフェース部４は、基板４０の裏面４０１側にコネクタ４６及びコネクタ４７が設けられている。
【００３９】
インターフェース部４の基板４０は、例えば、図３（ａ）及び図３（ｃ）に示すように、細長い矩形状を有するプリント配線基板である。基板４０は、図３（ａ）〜図３（ｅ）に示すように、筐体３の配置面３０に応じた形状を有している。
【００４０】
第１のスイッチ４１〜第４のスイッチ４４は、一例として、表面実装タイプのマイクロスイッチである。この第１のスイッチ４１〜第４のスイッチ４４は、上ケース１０の第１のボタン１０１〜第４のボタン１０４の配置に応じて、並んで配置されている。
【００４１】
第１のボタン１０１になされたプッシュ操作により、第１のスイッチ４１がオンとなり、一例として、車両のドアが施錠される。第２のボタン１０２になされたプッシュ操作により、第２のスイッチ４２がオンとなり、一例として、車両のドアが開錠される。第３のボタン１０３になされたプッシュ操作により、第３のスイッチ４３がオンとなり、一例として、車両のトランクが開く。第４のボタン１０４になされたプッシュ操作により、第４のスイッチ４４がオンとなり、一例として、車両に警告音を出力させることができる。
【００４２】
この第１のスイッチ４１〜第４のスイッチ４４から出力されたスイッチ信号は、例えば、コネクタ４６を介して制御回路部５に出力される。制御回路部５は、入力したスイッチ信号に応じて車両に送信する送信信号を生成して無線で車両に出力する。
【００４３】
光源４５は、例えば、発光素子により構成される。この光源４５は、第１のスイッチ４１〜第４のスイッチ４４がオンすると、電池７からの電流がコネクタ５２及びコネクタ４６を介して供給され、発光するように構成されている。
【００４４】
以下に、インターフェース部４の基板４０に形成された基板パターン４８について説明する。
【００４５】
図４（ａ）は、実施の形態に係るモジュールのインターフェース部の基板の上面図であり、図４（ｂ）は、モジュールのスイッチＳＷ１とスイッチＳＷ２の接続パターンについて説明するための概略図である。
【００４６】
基板４０は、図４（ａ）に示すように、複数のスイッチＳＷが配置可能な基板パターン４８を有している。この基板パターン４８は、一例として、最大で４つのスイッチＳＷ１〜スイッチＳＷ４を配置することが可能となっている。
【００４７】
また基板パターン４８は、図４（ａ）に示すように、４つのスイッチＳＷ１〜スイッチＳＷ４を配置することが可能であるだけではなく、スイッチＳＷ１がＳＷ１−１〜ＳＷ１−５と表記された５箇所、スイッチＳＷ２がＳＷ２−１〜ＳＷ２−５と表記された５箇所、スイッチＳＷ３がＳＷ３−１〜ＳＷ３−５と表記された５箇所、スイッチＳＷ４がＳＷ４−１〜ＳＷ４−６と表記された６箇所のいずれかの配置位置４９に配置可能である。
【００４８】
具体的には、基板パターン４８は、配線やスイッチが接続されるパッドの配置を変えることなく、配置位置４９に配置することが可能である。つまり、スイッチＳＷ１は、図４（ａ）に示すＳＷ１−１〜ＳＷ１−５のいずれかの配置位置４９に配置される。スイッチＳＷ２は、図４（ａ）に示すＳＷ２−１〜ＳＷ２−５のいずれかの配置位置４９に配置される。スイッチＳＷ３は、図４（ａ）に示すＳＷ３−１〜ＳＷ３−５のいずれかの配置位置４９に配置される。スイッチＳＷ４は、図４（ａ）に示すＳＷ４−１〜ＳＷ４−６のいずれかの配置位置４９に配置される。
【００４９】
続いて、図４（ｂ）に示すＳＷ１−１、ＳＷ１−２、ＳＷ２−２及びＳＷ２−３の配置位置４９の電気的な接続の一例を説明する。
【００５０】
ＳＷ１−１は、パッド４８０〜パッド４８３を有している。ＳＷ１−２は、パッド４８４〜パッド４８７を有している。ＳＷ２−２は、パッド４９０〜パッド４９３を有している。ＳＷ２−３は、パッド４８４〜パッド４８７を有している。
【００５１】
パッド４８０、パッド４８３、パッド４８７、パッド４９４及びパッド４９５は、電気的に接続されると共に接地されている。パッド４８１及びパッド４８２は、電気的に接続されると共に制御回路５１に電気的に接続されている。パッド４８５及びパッド４８６は、電気的に接続されると共に制御回路５１に電気的に接続されている。
【００５２】
パッド４８４、パッド４９０及びパッド４９１は、電気的に接続されると共に接地されている。パッド４９２、パッド４９３、パッド４９６及びパッド４９７は、電気的に接続されると共に制御回路５１に電気的に接続されている。
【００５３】
ＳＷ１−１、ＳＷ１−２、ＳＷ２−２及びＳＷ２−３は、上述のような接続がなされたパッドを有しているので、一例として、スイッチＳＷ１がＳＷ１−１又はＳＷ１−２、スイッチＳＷ２がＳＷ２−２又はＳＷ２−３に配置可能となる。
【００５４】
なお、基板パターン４８は、４つのスイッチのうち、少なくとも１つのスイッチが配置されても良い。またスイッチは、制御回路５１によってＳＷ１〜ＳＷ４を判定するので、上ケース１０に配置されるボタンの順番に関係なく、ＳＷ１〜ＳＷ４のいずれの配置位置４９に配置されても良い。
【００５５】
なお基板パターン４８は、パッドにスイッチを配置する構成に限定されず、一例として、ボタンになされたプッシュ操作により、導電性を有するボタンの下部が基板４０に配置された２つの端子に接触することで、２つの端子が導通する構成であっても良い。
【００５６】
（制御回路部５の構成）
制御回路部５は、図１に示すように、基板５０と、制御回路５１と、コネクタ５２と、第１の導電部としての第１の正端子５３及び第２の正端子５４と、第２の導電部としての負端子５５と、を備えている。
【００５７】
基板５０は、例えば、矩形状を有するプリント配線基板である。この基板５０の配置面５００には、制御回路５１とコネクタ５２が配置されている。また基板５０の配置面５００の裏面である端子面５０１には、第１の正端子５３、第２の正端子５４及び負端子５５が配置されている。
【００５８】
制御回路５１は、例えば、ＣＰＵ（Central Processing Unit）等を含む制御部、車両との無線通信を行う通信部等により構成されている。この制御回路５１は、第１の正端子５３、第２の正端子５４及び負端子５５と電気的に接続されると共に、コネクタ５２と電気的に接続されている。
【００５９】
第１の正端子５３、第２の正端子５４及び負端子５５は、例えば、銅等の導電性を有する金属材料、又はそれらを含む合金材料を用いて板形状に形成されている。なお制御回路部５は、第１の正端子５３及び第２の正端子５４のいずれか一方が設けられても良いし、第１の正端子５３及び第２の正端子５４が繋がった形状を有する端子が設けられても良い。
【００６０】
（電池ターミナル６の構成）
電池ターミナル６は、例えば、銅等の導電性を有する金属材料、又はそれらを含む合金材料を用いて形成されている。
【００６１】
電池ターミナル６は、図３（ｆ）に示すように、電池７の挿入方向と交差する方向に長い基部６０、基部６０の両端から挿入方向と反対方向に伸び、挿入された電池７の一方の極と接触する第１のターミナル６１と第２のターミナル６２、基板５０の方向に湾曲するように第１のターミナル６１及び第２のターミナル６２に設けられ、基板５０の第１の正端子５３及び第２の正端子５４と接触する湾曲部６３及び湾曲部６４を有する。
【００６２】
基部６０は、支持部６５と、ガイド部６１２及びガイド部６２２と、を有している。支持部６５は、基部６０の中央の第１のターミナル６１及び第２のターミナル６２側の側面に設けられている。この支持部６５は、当該側面から突出した部分を湾曲部６３及び湾曲部６４と同じ方向に折り曲げて形成されている。支持部６５は、例えば、電池７の挿入等による基部６０の変形を抑制する。
【００６３】
ガイド部６１２は、図３（ｆ）に示すように、基部６０の第１のターミナル６１側の端部を、湾曲部６３と同じ方向に折り曲げて形成されている。このガイド部６１２は、電池収容部３７の壁３５側のターミナル保持溝３７１に挿入される。
【００６４】
ガイド部６２２は、図３（ｆ）に示すように、基部６０の第２のターミナル６２側の端部を、湾曲部６４と同じ方向に折り曲げて形成されている。このガイド部６２２は、電池収容部３７の前面３３側のターミナル保持溝３７１に挿入される。
【００６５】
第１のターミナル６１は、基部６０側に湾曲部６３が設けられ、その反対に先端部６１１が設けられている。また第１のターミナル６１は、電池７と接触する側とは反対方向に突出する凸部６１０が設けられている。
【００６６】
湾曲部６３は、基部６０側の第１のターミナル６１を略楕円形状に折り曲げて形成されている。この湾曲部６３は、図３（ｇ）に示すように、制御回路部５、電池ターミナル６及び電池７が電池収容部３７に収容されると、変形による弾性力を発生し、基板５０の第１の正端子５３と接触する。この弾性力により、湾曲部６３と第１の正端子５３との接触圧が確保される。
【００６７】
第１のターミナル６１は、後述するように、挿入された電池７の正極７０と接触するので、第１の正端子５３が電池ターミナル６を介して正極７０と電気的に接続される。
【００６８】
凸部６１０は、第１のターミナル６１の短手方向の内側の一部分を、湾曲部６３側を起点として折り曲げて形成されている。より具体的には、凸部６１０は、湾曲部６３とは反対側、つまり先端部６１１側を筐体３の底面３６に向けて折り曲げて形成されている。
【００６９】
先端部６１１は、第１のターミナル６１の先端を凸部６１０と同じ方向に折り曲げて形成される。この先端部６１１は、電池７の挿入を容易にするために設けられている。
【００７０】
第２のターミナル６２は、基部６０側に湾曲部６４が設けられ、その反対に先端部６２１が設けられている。また第２のターミナル６２は、電池７と接触する側とは反対方向に突出する凸部６２０が設けられている。
【００７１】
湾曲部６４は、基部６０側の第２のターミナル６２を略楕円形状に折り曲げて形成されている。この湾曲部６４は、図３（ｇ）に示すように、制御回路部５、電池ターミナル６及び電池７が電池収容部３７に収容されると、変形による弾性力を発生し、基板５０の第２の正端子５４と接触する。この弾性力により、湾曲部６４と第２の正端子５４との接触圧が確保される。
【００７２】
第２のターミナル６２は、後述するように、挿入された電池７の正極７０と接触するので、第２の正端子５４が電池ターミナル６を介して正極７０と電気的に接続される。
【００７３】
凸部６２０は、第２のターミナル６２の短手方向の内側の一部分を、湾曲部６４側を起点として折り曲げて形成されている。より具体的には、凸部６２０は、湾曲部６４とは反対側、つまり先端部６２１側を筐体３の底面３６に向けて折り曲げて形成されている。
【００７４】
先端部６２１は、第２のターミナル６２の先端を凸部６２０と同じ方向に折り曲げて形成される。この先端部６２１は、先端部６１１と同様に、電池７の挿入を容易にするために設けられている。
【００７５】
以下に、制御回路部５、電池ターミナル６及び電池７の組み付けについて説明する。
【００７６】
（電池ターミナル６等の組み付けについて）
・電池ターミナル６の組み付け
まず、電池ターミナル６のガイド部６１２及びガイド部６２２を筐体３の電池収容部３７のターミナル保持溝３７１に嵌め込んでから電池ターミナル６を電池収容部３７に挿入し、電池ターミナル６を電池収容部３７に組み付ける。
【００７７】
具体的には、ガイド部６１２及びガイド部６２２がターミナル保持溝３７１に挿入されると、溝の間隔がガイド部６１２及びガイド部６２２の間隔よりも小さいので、ガイド部６１２及びガイド部６２２が内側に向かって変形する。この変形により、ガイド部６１２及びガイド部６２２と、ターミナル保持溝３７１との接触が保たれる。
【００７８】
・制御回路部５の組み付け
次に、制御回路部５の基板５０の端部５０２及び端部５０３を電池収容部３７の基板保持溝３７２に嵌め、制御回路部５を電池収容部３７に組み付ける。
【００７９】
・電池７の組み付け
次に、第１のターミナル６１及び第２のターミナル６２と基板５０の間に電池７を挿入して電池７を電池収容部３７に組み付ける。
【００８０】
具体的には、電池７を電池収容部３７に挿入すると、まず電池７の周囲が第１のターミナル６１の先端部６１１と第２のターミナル６２の先端部６２１に接触し、電池７が先端部６１１及び先端部６２１を介して、第１のターミナル６１及び第２のターミナル６２を押し上げる。さらに電池７を電池収容部３７に挿入して電池７を電池収容部３７に収容すると、さらに第１のターミナル６１及び第２のターミナル６２が押し上げられて、図３（ｇ）に示すように、凸部６１０が切欠孔３６１に嵌り込むと共に、凸部６２０が切欠孔３６２に嵌り込む。
【００８１】
また電池７を電池収容部３７に収容すると、図３（ｇ）に示すように、電池７の正極７０が第１のターミナル６１及び第２のターミナル６２と接触すると共に、電池７の負極７１が基板５０の負端子５５と接触する。電池７は、第１のターミナル６１及び第２のターミナル６２と基板５０とに挟まれることによる第１のターミナル６１及び第２のターミナル６２の弾性力により、第１のターミナル６１及び第２のターミナル６２と正極７０の接触が保たれると共に、負極７１と負端子５５との接触が保たれる。
【００８２】
この組み付けにより、電池７の正極７０が電池ターミナル６を介して基板５０の第１の正端子５３及び第２の正端子５４と電気的に接続し、電池７の負極７１が基板５０の負端子５５に電気的に接続し、電池７が制御回路５１と電気的に接続される。
【００８３】
・変形例について
図５（ａ）〜図５（ｅ）は、変形例としての意匠が異なる電子キーの概略図である。
【００８４】
図５（ａ）に示す電子キー１ａは、一例として、離れて配置されたボタン１０１ａ及びボタン１０２ａを有している。この電子キー１ａは、一例として、基板パターン４８のＳＷ１−１にボタン１０１ａに対応するスイッチを配置し、ＳＷ４−５にボタン１０２ａに対応するスイッチを配置するように構成される。
【００８５】
図５（ｂ）に示す電子キー１ｂは、一例として、並んで配置されたボタン１０１ｂ〜ボタン１０３ｂを有している。この電子キー１ｂは、一例として、基板パターン４８のＳＷ１−１にボタン１０１ｂに対応するスイッチを配置し、ＳＷ３−２にボタン１０２ｂに対応するスイッチを配置し、ＳＷ２−４にボタン１０３ｂに対応するスイッチを配置するように構成される。
【００８６】
図５（ｃ）に示す電子キー１ｃは、一例として、三角形の各頂点に配置されたようなボタン１０１ｃ〜ボタン１０３ｃを有している。この電子キー１ｃは、一例として、基板パターン４８のＳＷ１−１にボタン１０１ｃに対応するスイッチを配置し、ＳＷ４−１にボタン１０２ｃに対応するスイッチを配置し、ＳＷ３−３にボタン１０３ｃに対応するスイッチを配置するように構成される。
【００８７】
図５（ｄ）に示す電子キー１ｄは、一例として、ボタン１０１ｄ〜ボタン１０４ｄを備えている。ボタン１０１ｄとボタン１０２ｄは、車両の前後方向に対応して配置されている。またボタン１０３ｄとボタン１０４ｄは、一例として、車両の両側のスライドドアを開閉するためのボタンであり、車両の左右方向に対応して隣り合って配置されている。
【００８８】
この電子キー１ｄは、一例として、基板パターン４８のＳＷ２−３にボタン１０１ｄに対応するスイッチを配置し、ＳＷ４−２にボタン１０２ｄに対応するスイッチを配置し、ＳＷ３−４にボタン１０３ｄに対応するスイッチを配置し、ＳＷ１−４にボタン１０４ｄに対応するスイッチを配置するように構成される。
【００８９】
図５（ｅ）に示す電子キー１ｅは、ボタン１０１ｅ〜ボタン１０３ｅと、プッシュボタン１０４ｅと、物理キー１０５ｅを有している。ボタン１０１ｅ〜ボタン１０１ｅは、一例として、上述の電子キー１ｂのような配置位置４９にスイッチが配置される。物理キー１０５ｅは、一例として、プッシュボタン１０４ｅを押し込むことにより、側面から回転して出てくるものであり、モジュール２と電子キー１ｅのケースの間に配置される。このように、モジュール２は、異なる意匠を有する電子キーに、柔軟に対応することが可能である。
【００９０】
（実施の形態の効果）
本実施の形態に係るモジュール２は、意匠の変更に柔軟に対応することができる。具体的には、モジュール２は、第１のスイッチ４１〜第４のスイッチ４４が設けられたインターフェース部４と、制御回路５１が設けられた制御回路部５と、が別々の基板に形成されているので、異なる意匠を有する電子キーに対して、インターフェース部４のスイッチの位置等を変更することで対応することができる。従ってモジュール２は、操作を受け付ける受付手段と制御回路とが同じ基板に設けられる場合と比べて、意匠の変更に柔軟に対応することができる。
【００９１】
モジュール２は、インターフェース部４が制御回路部５と独立していると共に、スイッチの配置に柔軟性があるので、意匠が異なる電子キーごとに設計を変更する必要がない。従ってモジュール２は、スイッチの位置の変更、高周波特性に基づく配線位置の変更等による基板パターン４８の再設計の必要がなく、同じ構成のモジュール２で複数の意匠に対応できるので、低コストで製造することができる。
【００９２】
モジュール２は、電池７と制御回路５１との導通不良を抑制すると共に組み付け性を向上させることができる。具体的には、モジュール２は、モジュール２の筐体３の電池収容部３７に、電池ターミナル６、制御回路部５及び電池７を収容することにより、電池７と制御回路部５の制御回路５１との導通が確保されるので、端子が基板にはんだ等で固定されている場合と比べて、電池７と制御回路５１との導通不良を抑制すると共に組み付け性を向上させることができる。
【００９３】
モジュール２は、電池と基板に設けられた端子との接触圧を確保するために基板を両側から挟む部材を必要としないので、部品点数が少なく、低コストで製造することができる。
【００９４】
モジュール２は、電池ターミナル６及び制御回路部５を電池収容部３７に収容することで、電池７を取り付けることができるので、端子を基板に取り付ける場合に比べて、組み付け性が高い。
【００９５】
モジュール２は、拡張機能部８の交換が可能なので、仕様の異なる電子キーに柔軟に対応することができる。
【００９６】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００９７】
１，１ａ〜１ｅ      電子キー、２…モジュール、３…筐体、４…インターフェース部、５…制御回路部、６…電池ターミナル、７…電池、８…拡張機能部、１０…上ケース、１１…下ケース、３０…配置面、３１…左側面、３２…右側面、３３…前面、３４…後面、３５…壁、３６…底面、３７…電池収容部、３８…基板収容部、４０…基板、４１〜４４…第１のスイッチ〜第４のスイッチ、４５…光源、４６…コネクタ、４７…コネクタ、４８…基板パターン、４９…配置位置、５０…基板、５１…制御回路、５２…コネクタ、５３…第１の正端子、５４…第２の正端子、５５…負端子、６０…基部、６１…第１のターミナル、６２…第２のターミナル、６３…湾曲部、６４…湾曲部、６５…支持部、７０…正極、７１…負極、８０…基板、８１…コネクタ、１００…上面、１０１〜１０４…第１のボタン〜第４のボタン、１０１ａ〜１０１ｅ…ボタン、１０２ａ〜１０２ｄ…ボタン、１０３ｂ〜１０３ｅ…ボタン、１０４ｄ…ボタン、１０４ｅ…プッシュボタン、１０５…作動灯、１０５ｅ…物理キー、１１０…底面、１１１…収容部、３００…コネクタ開口、３０１…コネクタ開口、３０５…凹部、３６０…取出凹部、３６１…切欠孔、３６２…切欠孔、３７１…ターミナル保持溝、３７２…基板保持溝、３７５…凹部、３８１〜３８４…第１の爪部〜第４の爪部、４００…表面、４０１…裏面、４８０〜４８７…パッド、４９０〜４９７…パッド、５００…配置面、５０１…端子面、５０２…端部、５０３…端部、６１０…凸部、６１１…先端部、６１２…ガイド部、６２０…凸部、６２１…先端部、６２２…ガイド部
【図１】
2016111387.tif 000003
【図２】
2016111387.tif 000004
【図３】
2016111387.tif 000005
【図４】
2016111387.tif 000006
【図５】
2016111387.tif 000007